(57)【要約】【課題】用紙使用数の削減をユーザーが積極的に行うように導く印刷設定装置、印刷設定方法及びプログラムを提供する。【解決手段】印刷設定ごとに獲得できる得点が記述された印刷設定得点配分テーブルと、ユーザーごとに獲得得点が記述された獲得得点テーブルと、ユーザーにより入力された印刷設定が得点を獲得できるものであるのかどうかを判定する得点加算判定部と、入力された印刷設定が得点加算判定部により得点を獲得することができるものであると判定されたときに、入力された印刷設定により獲得できる得点を算出する得点加算部と、獲得得点テーブルを変更する獲得得点変更部と、を有し、獲得得点変更部は、ユーザーにより、印刷設定が、得点加算判定部により得点が獲得できると判定された印刷設定に確定されたときに、獲得得点テーブルに記述された獲得得点を、得点加算部により算出された得点を加算されたものに変更する。【選択図】図６
2010218426.tif 000002
【特許請求の範囲】
【請求項１】
印刷設定ごとに獲得できる得点が記述された印刷設定得点配分テーブルと、
ユーザーごとに獲得得点が記述された獲得得点テーブルと、
前記ユーザーにより入力された前記印刷設定が得点を獲得できるものであるのかどうかを判定する得点加算判定部と、
前記入力された印刷設定が前記得点加算判定部により得点を獲得することができるものであると判定されたときに、前記入力された印刷設定により獲得できる得点を算出する得点加算部と、
前記獲得得点テーブルを変更する獲得得点変更部と、を有し、
前記獲得得点変更部は、前記ユーザーにより、前記印刷設定が、前記得点加算判定部により得点が獲得できると判定された前記印刷設定に確定されたときに、前記獲得得点テーブルに記述された前記獲得得点を、前記得点加算部により算出された前記得点を加算されたものに変更することを特徴とする印刷設定装置。
【請求項２】
前記ユーザーごとに出力可能枚数が記述された出力可能枚数テーブルと、
前記得点ごとに変換できる前記出力枚数が記述された獲得得点変換テーブルと、
前記ユーザーが前記獲得得点を前記出力可能枚数に変換する要求をしたときに、前記ユーザーによる要求と前記獲得得点変換テーブルに基づき、前記出力可能枚数テーブルに記述された前記ユーザーに対する前記出力可能枚数を変更する出力枚数変換部と、を有し、
前記獲得得点変更部は、前記ユーザーが前記獲得得点を前記出力可能枚数に変換する要求をしたときに、前記ユーザーによる要求と前記獲得得点変換テーブルに基づき、前記獲得得点テーブルに記述された前記ユーザーに対する前記獲得得点を変更することを特徴とする請求項１に記載の印刷設定装置。
【請求項３】
前記得点加算部により算出された前記得点と、前記出力可能枚数テーブルに記述された前記ユーザーの前記出力可能枚数と、前記獲得得点テーブルに記述された前記ユーザーの前記獲得得点と、を表示する表示部を有することを特徴とする請求項２に記載の印刷設定装置。
【請求項４】
前記ユーザーが管理者であるのかどうかを判定する管理者判定手段と、
前記管理者判定手段により管理者であると判定された前記ユーザーにより、前記印刷設定得点配分テーブルの変更要求があったときに、前記変更要求に従い、前記印刷設定得点配分テーブルを変更する前記印刷設定得点配分変更部と、を有することを特徴とする請求項１から３のいずれか１項に記載の印刷設定装置。
【請求項５】
前記管理者判定手段により管理者であると判定された前記ユーザーにより、前記獲得得点変換テーブルの変更要求があったときに、前記変更要求に従い、前記獲得得点変換テーブルを変更する前記獲得得点変換変更部を有することを特徴とする請求項４に記載の印刷設定装置。
【請求項６】
印刷設定ごとに獲得できる得点が記述された印刷設定得点配分テーブルと、
ユーザーごとに獲得得点が記述された獲得得点テーブルと、
前記ユーザーにより入力された前記印刷設定が得点を獲得できるものであるのかどうかを判定する得点加算判定ステップと、
前記入力された印刷設定が前記得点加算判定ステップにより得点を獲得することができるものであると判定されたときに、前記入力された印刷設定により獲得できる得点を算出する得点加算ステップと、
前記獲得得点テーブルを変更する獲得得点変更ステップと、を有し、
前記獲得得点変更ステップは、前記ユーザーにより、前記印刷設定が、前記得点加算判定ステップにより得点が獲得できると判定された前記印刷設定に確定されたときに、前記獲得得点テーブルに記述された前記獲得得点を、前記得点加算ステップにより算出された前記得点を加算されたものに変更することを特徴とする印刷設定方法。
【請求項７】
前記ユーザーごとに出力可能枚数が記述された出力可能枚数テーブルと、
前記得点ごとに変換できる前記出力枚数が記述された獲得得点変換テーブルと、
前記ユーザーが前記獲得得点を前記出力可能枚数に変換する要求をしたときに、前記ユーザーによる要求と前記獲得得点変換テーブルに基づき、前記出力可能枚数テーブルに記述された前記ユーザーに対する前記出力可能枚数を変更する出力枚数変換ステップと、を有し、
前記獲得得点変更ステップは、前記ユーザーが前記獲得得点を前記出力可能枚数に変換する要求をしたときに、前記ユーザーによる要求と前記獲得得点変換テーブルに基づき、前記獲得得点テーブルに記述された前記ユーザーに対する前記獲得得点を変更することを特徴とする請求項６に記載の印刷設定方法。
【請求項８】
前記得点加算ステップにより算出された前記得点と、前記出力可能枚数テーブルに記述された前記ユーザーの前記出力可能枚数と、前記獲得得点テーブルに記述された前記ユーザーの前記獲得得点と、を表示する表示ステップを有することを特徴とする請求項７に記載の印刷設定方法。
【請求項９】
前記ユーザーが管理者であるのかどうかを判定する管理者判定ステップと、
前記管理者判定ステップにより管理者であると判定された前記ユーザーにより、前記印刷設定得点配分テーブルの変更要求があったときに、前記変更要求に従い、前記印刷設定得点配分テーブルを変更する前記印刷設定得点配分変更ステップと、を有することを特徴とする請求項５から８のいずれか１項に記載の印刷設定方法。
【請求項１０】
前記管理者判定ステップにより管理者であると判定された前記ユーザーにより、前記獲得得点変換テーブルの変更要求があったときに、前記変更要求に従い、前記獲得得点変換テーブルを変更する前記獲得得点変換変更ステップを有することを特徴とする請求項９に記載の印刷設定方法。
【請求項１１】
請求項６から１０のいずれか１項に記載の印刷設定方法をコンピュータに実行させるためのプログラム。
【発明の詳細な説明】
【技術分野】
【０００１】
本発明は、印刷時にユーザーにより設定を行われる印刷設定装置、印刷設定方法及びプログラムに関する。
【背景技術】
【０００２】
プリンタなどの出力システムを利用する際に、経費削減及び昨今の環境意識の高まりから、できるだけ出力用紙を節約したいというニーズがある。このニーズに対応する技術として、出力システムを管理する管理部門において、用紙利用数削減目標の設定や、目標の進捗状況の管理のために、管理者が紙文書の出力状況を把握することを可能にするソフトウエアなどが知られている。しかし、これにより、管理者は出力状況を把握し、ユーザーに削減を呼びかけることはできるが、ユーザーから積極的に用紙使用の減らすようにはなってはいない。
【０００３】
積極的に使用を抑止する方法として、印刷時に片面ではなく、両面で印刷するような機能が印刷デバイスには設けられている場合がある。しかしながら、通常、工場出荷時のデフォルトの設定では両面機能は、無効になっている。できるだけ片面印刷を抑制し、ユーザーに両面印刷をするようにさせるために、プリンタドライバにて印刷指示を出す際に、ユーザーに印刷時の設定についての確認をするためのアラート画面がポップアップし、表示される装置、などが知られている。
【０００４】
印刷時にユーザーに通知とする方法として、例えば、特許文献１では、指示された印刷に必要な枚数を計算し、排紙トレイの排紙可能枚数と比較し、排紙可能枚数が足りないときにはユーザーに通知する方法が開示されている。
【発明の概要】
【発明が解決しようとする課題】
【０００５】
しかしながら、アラート画面により、注意を促すだけでは、両面印刷することにユーザーにメリットがない場合には、アラート画面が無視されてしまう。これでは、用紙使用枚数の削減が十分に行えない。
【０００６】
そこで本発明は、上記問題点に鑑みてなされたもので、用紙使用数の削減をユーザーが積極的に行うように導く印刷設定装置、印刷設定方法及びプログラムを提供することを目的とする。
【課題を解決するための手段】
【０００７】
上記課題を解決するため、本発明における印刷設定装置は、印刷設定ごとに獲得できる得点が記述された印刷設定得点配分テーブルと、ユーザーごとに獲得得点が記述された獲得得点テーブルと、前記ユーザーにより入力された前記印刷設定が得点を獲得できるものであるのかどうかを判定する得点加算判定部と、前記入力された印刷設定が前記得点加算判定部により得点を獲得することができるものであると判定されたときに、前記入力された印刷設定により獲得できる得点を算出する得点加算部と、前記獲得得点テーブルを変更する獲得得点変更部と、を有し、前記獲得得点変更部は、前記ユーザーにより、前記印刷設定が、前記得点加算判定部により得点が獲得できると判定された前記印刷設定に確定されたときに、前記獲得得点テーブルに記述された前記獲得得点を、前記得点加算部により算出された前記得点を加算されたものに変更することを特徴とする。
【０００８】
また、本発明における印刷設定方法は、印刷設定ごとに獲得できる得点が記述された印刷設定得点配分テーブルと、ユーザーごとに獲得得点が記述された獲得得点テーブルと、前記ユーザーにより入力された前記印刷設定が得点を獲得できるものであるのかどうかを判定する得点加算判定ステップと、前記入力された印刷設定が前記得点加算判定ステップにより得点を獲得することができるものであると判定されたときに、前記入力された印刷設定により獲得できる得点を算出する得点加算ステップと、前記獲得得点テーブルを変更する獲得得点変更ステップと、を有し、前記獲得得点変更ステップは、前記ユーザーにより、前記印刷設定が、前記得点加算判定ステップにより得点が獲得できると判定された前記印刷設定に確定されたときに、前記獲得得点テーブルに記述された前記獲得得点を、前記得点加算ステップにより算出された前記得点を加算されたものに変更することを特徴とする。
【０００９】
また、本発明におけるプログラムは、上記本発明における印刷設定方法をコンピュータに実行させるためのプログラム。
【発明の効果】
【００１０】
本発明により、用紙使用数の削減をユーザーが積極的に行うように導くことができる。
【図面の簡単な説明】
【００１１】
【図１】本発明の実施形態に係る印刷設定装置を含むハードウェア構成の一例を示す図である。
【図２】本発明の実施形態に係る印刷設定装置を含むＰＣの構成の一例を示す図である。
【図３】プリンタの構成の一例を示す図である。
【図４】本発明の実施形態に係る印刷設定装置としてのプリンタドライバの構成の一例を示す図である。
【図５】ユーザーが印刷設定の入力を行う際に使用するユーザーインターフェースの一例を示した図である。
【図６】本発明の実施形態に係る印刷設定装置での処理動作の一例を示す図である。
【図７】本発明の実施形態に係る印刷設定装置での処理動作の一例を示す図である。
【発明を実施するための形態】
【００１２】
次に、発明を実施するための形態について図面を参照して詳細に説明する。
【００１３】
図１は、本発明の実施形態に係る印刷設定装置を含むハードウェア構成の一例を示す図である。複数のＰＣ（パーソナルコンピュータ）１とプリンタ２と複合機３とプリントサーバ４が接続されている。プリントサーバ４にはプリンタ２と複合機３が接続されている。ＰＣ１にはプリンタ２が接続されている。
【００１４】
本発明の実施形態に係る印刷設定装置を含むハードウェア構成としては、他にもいろいろなものが考えられる。ＰＣ１とプリンタ７だけの構成でも良いし、複数のＰＣ１とプリンタ２だけの構成でも良い。複合機３、６は、プリンタ機能やコピー機能、スキャナ機能、ＦＡＸ機能などの複数の機能を備えるものである。
【００１５】
図２は、本発明の実施形態に係る印刷設定装置を備えるＰＣの構成の一例を示す図であり、図３はプリンタの構成の一例を示す図である。ＰＣ１において、印刷設定装置としてのプリンタドライバ１１は、アプリケーション１２から送られてきた描画に必要なデータ（描画コマンドを含む）を受け取る。この受け取ったデータを、プリンタ２が解釈する描画指示コマンドである、ＰＤＬ（ページ記述言語、Page description language）データに変換し、プリンタ２に送る。
【００１６】
プリンタ２において、ソフト部２１は、プリンタドライバ１１から送られた描画指示コマンド（ＰＤＬデータ）を受け取り、この描画指示コマンドに従い、ハード部２２が解釈する描画指示命令を生成し、ハード部２２に送信する。ハード部２２は、ソフト部２１から送られてきた描画指示コマンドに従い、描画を行う。
【００１７】
図４は、本発明の実施形態に係る印刷設定装置としてのプリンタドライバ１１の構成の一例を示す図である。プリンタドライバ１１は、得点加算判定部１１１、得点加算部１１２、表示部１１３、獲得得点変更部１１４、出力可能枚数変更部１１５、印刷設定得点配点変更部１１６、獲得得点変換変更部１１７を備えている。また、プリンタドライバ１１は、獲得得点テーブル１１８１、出力可能枚数テーブル１１８２、印刷設定得点配分テーブル１１８３、獲得得点変換テーブル１１８４を記憶している。プリンタドライバ１１は、ＣＤ−ＲＯＭ、ＵＳＢメモリ等の記憶媒体からインストールできるようにしても良い。また、ネットワークを介して取得し、インストールできるようにしても良い。
【００１８】
ここで、得点加算判定部１１１は、ユーザーにより入力された印刷設定が得点獲得が可能な印刷設定なのかを判定する。得点加算部１１２は、得点加算判定部１１１の判定の結果、ユーザーにより入力された印刷設定が得点獲得可能である場合に、入力された印刷設定により獲得可能な得点を計算する。
【００１９】
ここで、獲得得点テーブル１１８１は、例えば、表１に示すように、各ユーザーがこれまでに獲得した得点が記述されている。出力可能枚数テーブル１１８２は、例えば、表２に示すように、各ユーザーがその時点で出力することが可能な枚数が記述されている。
【００２０】
【表１】
2010218426.tif 000003
【００２１】
【表２】
2010218426.tif 000004
【００２２】
このようなテーブルを記憶させておくことで、各ユーザーの獲得した得点と出力可能な枚数を管理することができる。
【００２３】
獲得得点テーブル１１８１は、ユーザーによる印刷設定が確定したときに、その確定した印刷設定による獲得得点に基づき、下記で説明する印刷設定得点配分テーブル１１８３を参照し、獲得得点変更部１１４により変更される。出力可能枚数テーブル１１８２は、ユーザーにより印刷が実行されたときは、実行された印刷枚数に基づき、出力可能枚数変更部１１５により変更される。
【００２４】
また、出力可能枚数テーブル１１８２は、管理者により変更できるようにしても良い。このとき、出力可能枚数テーブル１１８２は、管理者により変更入力があったときに、入力された変更情報に基づき、出力可能枚数変更部１１５により変更される。
【００２５】
印刷設定得点配分テーブル１１８３は、例えば、表３に示すように、印刷設定それぞれに対する得点が記述されている。ここに記述されている得点は、ユーザーが各印刷設定を使用するときに獲得できる得点である。例えば、表３では、両面印刷を行う設定にすれば、５０点を獲得できるようになっている。印刷設定得点配分テーブル１１８３は、管理者により変更可能にしても良い。このとき、印刷設定得点配分テーブル１１８３は、管理者により入力された変更情報に基づき、印刷設定得点配分変更部１１６により変更される。
【００２６】
【表３】
2010218426.tif 000005
【００２７】
本発明では、ユーザーにより、ユーザーがこれまで獲得した得点に基づき、出力可能な枚数が増やすことができるようにする。このとき、獲得得点により出力可能になる枚数は、獲得得点変換テーブル１１８４により管理する。獲得得点変換テーブル１１８４は、例えば、表４に示すように、獲得得点ごとに変換可能な出力可能枚数を記述されている。このとき、例えば、単純に獲得得点に比例して変換可能な出力可能枚数を増やしていくようにしても良いし、例えば、表４に示すように、獲得得点が大きくなるにつれ、獲得得点１点あたりに変換可能な出力可能枚数が大きくなるようにしても良い。例えば、表４では、変換される獲得得点２０点であれば、出力可能枚数が１枚増え、変換される獲得得点５０点ならば、出力可能枚数が３枚増え、変換される獲得得点が３００点ならば、出力可能枚数が３０枚増えるようになっている。それぞれ、１得点あたり、0.05枚、0.06枚、0.1枚と、変換される獲得得点が大きいほど、１得点あたりの増える出力可能枚数が大きくなっている。
【００２８】
【表４】
2010218426.tif 000006
【００２９】
図５は、ユーザーが印刷設定の入力を行う際に使用するユーザーインターフェースの一例を示した図である。印刷設定項目ごとに設定できるようになっており、その印刷設定による獲得得点が表示されるようになっており、その印刷設定によるテスト文書のプレビューも表示されるようになっている。また、操作時点での出力可能枚数、操作時点までに獲得した得点と、その獲得得点を変換したさいに得られる出力可能枚数が表示されている。
【００３０】
表示部１１３は、図５のようなインターフェースに、ユーザーの出力可能枚数、入力された印刷設定により獲得できる得点、それまでの獲得得点とその獲得得点により変換可能な出力可能枚数などを表示する。
【００３１】
管理者設定変更ボタンは、管理者により、出力可能枚数テーブル１１８２、印刷設定得点配分テーブル１１８３、獲得得点変換テーブル１１８４などを変更する際に使用する。
【００３２】
図６は、本発明の実施形態に係る印刷設定装置における処理動作の一例を示した図である。まず、ユーザーにより印刷設定の入力を受ける（Ｓ１０１）。この入力された印刷設定が得点加算対象である印刷設定であるかどうかを得点加算判定部１１１判定する。
【００３３】
入力された印刷設定が得点加算対象であれば（Ｓ１０２、Ｙｅｓ）、入力された印刷設定についての情報が、得点加算部１１２に送られ、得点加算部１１２は、印刷設定得点配分テーブル１１８１を使用して、この印刷設定でユーザーが獲得できる得点を計算する（Ｓ１０３）。と表示部１１３に送られ、表示部１１３による印刷設定に対する獲得得点表示が更新される（Ｓ１０４）。
【００３４】
ユーザーにより、さらに印刷設定が変更されず、ユーザーにより印刷設定が確定されたときは（Ｓ１０５、Ｎｏ）、得点加算部１１２により計算された獲得得点は獲得得点変更部１１４に送られ、獲得得点変更部１１４は、獲得得点テーブル１１８１に記述されている、ユーザーの獲得得点を、この印刷設定の獲得得点を加算したものに更新する（Ｓ１０６）。ユーザーがさらに印刷設定の変更をするときは（Ｓ１０５、Ｙｅｓ）、新たにユーザーにより印刷設定の入力を受ける（Ｓ１０１）。
【００３５】
ここで、ユーザーによる印刷設定の確定の方法は、いろいろ考えられる。例えば、印刷設定が入力されてから所定の時間経過したときに確定するようにしても良いし、確定ボタンを用意し、ユーザーにより確定ボタンを押されたときに確定するようにしても良い。また、ユーザーにより印刷の実行がされたときに確定するようにし、獲得得点テーブルの変更を、印刷実行後に行うようにしても良い。
【００３６】
ユーザーが、出力可能枚数に変換する獲得得点数を入力した場合は（Ｓ１０７、Ｙｅｓ）、入力された出力可能枚数に変更する獲得得点数が出力可能枚数変更部１１５と獲得得点変更部１１４に送られ、出力可能枚数変更部１１５は、獲得得変換テーブル１１８１を使用し、変換される獲得得点数に対応する枚数を計算し、出力可能枚数テーブル１１８２に記述されている、ユーザーの出力可能枚数を、変換される獲得得点数に対応する枚数だけ増加した出力可能枚数に更新する（Ｓ１０８）。また、獲得得点変更部１１４は、獲得得点テーブル１１８１に記述されている、ユーザーの獲得得点を、変換される獲得得点数だけ減少した獲得得点に更新する（Ｓ１０９）。表示部１１３は、更新された出力可能枚数テーブル１１８２と獲得得点テーブル１１８１を使用し、表示部１１３によるユーザーに対する出力可能枚数と獲得得点の表示を更新する（Ｓ１１０）。
【００３７】
入力された印刷設定により印刷が実行され（Ｓ１１１）、印刷された枚数が出力可能枚数変更部１１８２に通知され、出力可能枚数変更部１１５は、出力可能枚数テーブル１１８２に記述されている、ユーザーの出力可能枚数を、印刷された数だけ減少した出力可能枚数に更新し（Ｓ１１２）、処理が終了する。
【００３８】
ユーザーが獲得得点を出力可能枚数に変換しないときは（Ｓ１０７、Ｎｏ）、入力された印刷設定により印刷が実行され（Ｓ１１１）、印刷された枚数が出力可能枚数変更部１１５に通知され、出力可能枚数変更部１１５は、出力可能枚数テーブル１１８２に記述されている、ユーザーの出力可能枚数を、印刷された数だけ減少した出力可能枚数に更新し（Ｓ１１２）、処理が終了する。
【００３９】
また、入力された印刷設定が得点獲得対象でないときは（Ｓ１０２、Ｎｏ）、入力された印刷設定により印刷が実行され（Ｓ１１１）、印刷された枚数が出力可能枚数変更部１１５に通知され、出力可能枚数変更部１１５は、出力可能枚数テーブル１１８２に記述されている、ユーザーの出力可能枚数を、印刷された数だけ減少した出力可能枚数に更新し（Ｓ１１２）、処理が終了する。
【００４０】
印刷を実行しないときにも、ユーザーにより、獲得得点から出力可能枚数への変換ができるように、ユーザーの入力に従い、ステップＳ１０８からステップＳ１１０の処理動作を行っても良い。
【００４１】
このようにすることにより、印刷するたびに、出力枚数を抑えるような設定することにより、得点が加算され、他の印刷の際に使用することができるようなる。出力時に出力用紙枚数をいかに削減するかをユーザーが工夫すれば得点を稼ぐことができるようになる。いかに削減するかを工夫するれば、ユーザー個人にメリットがあるため、削減に対するユーザーのモチベーションをあげることができ、出力用紙枚数削減をより進めることができるようになる。
【００４２】
次に、本発明の実施形態に係る印刷設定装置に記憶された獲得得点テーブル等のデータテーブルの変更の際の処理動作の一例を、図７を参照しながら説明する。管理者だけがデータテーブルの変更をできるようにした場合を考える。
【００４３】
まず、ユーザーが管理者であるのかどうかの判定を行う。管理者であり（Ｓ２０１、Ｙｅｓ）、データテーブル変更を行うならば（Ｓ２０２、Ｙｅｓ）ならば、ユーザーの入力によりデータテーブルを書き換える（Ｓ２０３）。
例えば、入力されたデータが、ユーザーごとの出力可能枚数の変更であるならば、そのデータは、出力可能枚数変更部１１５に送られ、出力可能枚数変更部１１５は、送られてきたデータに従い、出力可能枚数テーブル１１８２を更新する。
【００４４】
また、入力されたデータが、各印刷設定における獲得得点の変更であるならば、そのデータは、印刷設定得点配分変更部１１６に送られ、印刷設定得点配分変更部１１６は、送られてきたデータに従い、印刷設定得点配分テーブル１１８３を更新する。
【００４５】
また、入力されたデータが、獲得得点に対応する出力可能枚数の変更であるならば、そのデータは、獲得得点変換変更部１１７に送られ、獲得得点変換変更部１１７は、送られてきたデータに従い、獲得得点変換テーブル１１８４を更新する。
【００４６】
管理者の判定方法としては、例えば、登録管理者テーブルを記憶しておき、登録管理者テーブルに管理者に登録されたユーザーの名前を記述することにし、ユーザーが管理者であるかどうかの判定を、登録管理者テーブルのなかにそのユーザーの名前があるのかどうかによりするようなものをしても良い。
【００４７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４８】
また、本発明における印刷設定装置は、前記ユーザーごとに出力可能枚数が記述された出力可能枚数テーブルと、前記得点ごとに変換できる前記出力枚数が記述された獲得得点変換テーブルと、前記ユーザーが前記獲得得点を前記出力可能枚数に変換する要求をしたときに、前記ユーザーによる要求と前記獲得得点変換テーブルに基づき、前記出力可能枚数テーブルに記述された前記ユーザーに対する前記出力可能枚数を変更する出力枚数変換部と、を有し、前記獲得得点変更部は、前記ユーザーが前記獲得得点を前記出力可能枚数に変換する要求をしたときに、前記ユーザーによる要求と前記獲得得点変換テーブルに基づき、前記獲得得点テーブルに記述された前記ユーザーに対する前記獲得得点を変更するようにしても良い。
【００４９】
また、本発明における印刷設定装置は、前記得点加算部により算出された前記得点と、前記出力可能枚数テーブルに記述された前記ユーザーの前記出力可能枚数と、前記獲得得点テーブルに記述された前記ユーザーの前記獲得得点と、を表示する表示部を有するようにしても良い。
【００５０】
また、本発明における印刷設定装置は、前記ユーザーが管理者であるのかどうかを判定する管理者判定手段と、前記管理者判定手段により管理者であると判定された前記ユーザーにより、前記印刷設定得点配分テーブルの変更要求があったときに、前記変更要求に従い、前記印刷設定得点配分テーブルを変更する前記印刷設定得点配分変更部と、を有するようにしても良い。
【００５１】
また、本発明における印刷設定装置は、前記管理者判定手段により管理者であると判定された前記ユーザーにより、前記獲得得点変換テーブルの変更要求があったときに、前記変更要求に従い、前記獲得得点変換テーブルを変更する前記獲得得点変換変更部を有するようにしても良い。
【００５２】
また、本発明における印刷設定方法は、前記ユーザーごとに出力可能枚数が記述された出力可能枚数テーブルと、前記得点ごとに変換できる前記出力枚数が記述された獲得得点変換テーブルと、前記ユーザーが前記獲得得点を前記出力可能枚数に変換する要求をしたときに、前記ユーザーによる要求と前記獲得得点変換テーブルに基づき、前記出力可能枚数テーブルに記述された前記ユーザーに対する前記出力可能枚数を変更する出力枚数変換ステップと、を有し、前記獲得得点変更ステップは、前記ユーザーが前記獲得得点を前記出力可能枚数に変換する要求をしたときに、前記ユーザーによる要求と前記獲得得点変換テーブルに基づき、前記獲得得点テーブルに記述された前記ユーザーに対する前記獲得得点を変更するようにしても良い。
【００５３】
また、本発明における印刷設定方法は、前記得点加算ステップにより算出された前記得点と、前記出力可能枚数テーブルに記述された前記ユーザーの前記出力可能枚数と、前記獲得得点テーブルに記述された前記ユーザーの前記獲得得点と、を表示する表示ステップを有するようにしても良い。
【００５４】
また、本発明における印刷設定方法は、前記ユーザーが管理者であるのかどうかを判定する管理者判定ステップと、前記管理者判定ステップにより管理者であると判定された前記ユーザーにより、前記印刷設定得点配分テーブルの変更要求があったときに、前記変更要求に従い、前記印刷設定得点配分テーブルを変更する前記印刷設定得点配分変更ステップと、を有するようにしても良い。
【００５５】
また、本発明における印刷設定方法は、前記管理者判定ステップにより管理者であると判定された前記ユーザーにより、前記獲得得点変換テーブルの変更要求があったときに、前記変更要求に従い、前記獲得得点変換テーブルを変更する前記獲得得点変換変更ステップを有するようにしても良い。
【符号の説明】
【００５６】
１    ＰＣ
１１    プリンタドライバ
１１１    得点加算判定部
１１２    得点加算部
１１３    表示部
１１４    獲得得点変更部
１１５    出力可能枚数変更部
１１６    印刷設定得点配分変更部
１１７    獲得得点変換変更部
１１８１    獲得得点テーブル
１１８２    出力可能枚数テーブル
１１８３    印刷設定得点配分テーブル
１１８４    獲得得点変換テーブル
２    プリンタ
３    複合機
【先行技術文献】
【特許文献】
【００５７】
【特許文献１】特開２００６−１３０７８８号公報
【図１】
2010218426.tif 000007
【図２】
2010218426.tif 000008
【図３】
2010218426.tif 000009
【図４】
2010218426.tif 000010
【図５】
2010218426.tif 000011
【図６】
2010218426.tif 000012
【図７】
2010218426.tif 000013